(57)【特許請求の範囲】
【請求項１】
通話開始後、予め設定された通話時間経過後に通話を強制的に終了させる構成のハンズフリーインターホンと、共同玄関に設置されたロビーインターホンとを組合わせて構成され、
上記ハンズフリーインターホンは、
通話開始後、予め設定された通話時間が経過するまでに、所定の時間が経過したときには点灯あるいは点滅駆動される通話時間切れ表示灯を有した通話時間切れ予告手段と、
通話スイッチにより通話手段を通話回線に接続する一方、予め設定された通話時間が経過すると、通話手段と通話回線との接続を遮断させるハンズフリー通話制御回路と、
タイマー手段と、上記ロビーインターホンからの音声信号レベルを判別する音声信号レベル判別回路と、
上記ロビーインターホンの呼出に応答した後に、上記通話スイッチを操作したときには、上記ハンズフリー通話制御回路による通話手段と通話回線との遮断動作を禁止して、予め設定された時間だけ通話手段を通話回線に接続保持するとともに、上記ロビーインターホン音声信号レベル判別回路によって、音声信号が一定レベルを所定時間低下したと判別されたときには、上記通話手段と上記通話回線との接続を遮断する制御手段とを備えた構成とした集合住宅用ハンズフリーインターホンシステム。
【請求項２】
通話開始後、予め設定された通話時間経過後に通話を強制的に終了させる構成のハンズフリーインターホンと、共同玄関に設置されたロビーインターホンとを組合わせて構成され、
上記ハンズフリーインターホンは、
通話開始後、予め設定された通話時間が経過するまでに、所定の時間が経過したときには点灯あるいは点滅駆動される通話時間切れ表示灯を有した通話時間切れ予告手段と、
通話スイッチにより通話手段を通話回線に接続する一方、予め設定された通話時間が経過すると、通話手段と通話回線との接続を遮断させるハンズフリー通話制御回路と、
タイマー手段と、
上記ロビーインターホンの呼出に応答した後に、上記通話スイッチを操作したときには、上記ハンズフリー通話制御回路による通話手段と通話回線との遮断動作を禁止して、予め設定された時間だけ通話手段を通話回線に接続保持する制御手段とを備えており、
上記ロビーインターホンには、人体検知センサーと、上記ハンズフリーインターホン側とは異なる通話手段と制御手段とを設けており、この制御手段は、上記人体検知センサーの出力が所定時間、検知オフの状態に保持されたときには、上記ロビーインターホン側の通話手段と上記通話回線との接続を遮断させる構成とした集合住宅用ハンズフリーインターホンシステム。
【発明の詳細な説明】
【０００１】
【産業上の利用分野】
本発明は、ハンズフリーインターホン及びこれとロビーインターホンとを組み合わせて構成されたハンズフリーインターホンシステムに関する。
【０００２】
【従来の技術】
この種のハンズフリーインターホンは、ドアホンなどから呼び出された場合に、通話スイッチを操作して応答し通話を行うと、予め設定された所定時間が経過した後には通話が強制的に終了する構成となっており、このため通話時間が長引くと、途中で途切れてしまうといった問題があった。
【０００３】
【本発明が解決しようとする課題】
本発明は、従来のハンズフリーインターホンがこのような欠点を有しているのに鑑みてなされたもので、予め設定された通話時間が時間切れ近くなったときには、ランプを点灯あるいは点滅したり、アラームを出力するなどして予告を行うとともに、通話時間の延長が出来るようにしたハンズフリーインターホンを提供することを第１の目的としている。
【０００４】
また、本発明の第２の目的は、上述のハンズフリーインターホンと、ロビーインターホンとを組み合わせて構成され、ハンズフリーインターホンとロビーインターホンで通話している最中にハンズフリーインターホン側で通話を延長させた後、ロビーインターホン側が通話を終了したときには、ハンズフリーインターホン側の通話手段と通話回線との接続を直ちに遮断するようにしたハンズフリーインターホンシステムを提供することにある。
【０００５】
更に、本発明の第３の目的は、上述のハンズフリーインターホンと、ロビーインターホンとを組み合わせて構成され、ハンズフリーインターホンとロビーインターホンで通話中においてハンズフリーインターホン側で通話を延長させた後、ロビーインターホン側で人がいなくなったときには、ロビーインターホン側の通話手段と通話回線との接続を直ちに遮断するようにしたハンズフリーインターホンシステムを提供することにある。
【０００６】
【課題を解決するための手段】
上記目的を達成するために提案される請求項１では、通話開始後、予め設定された通話時間経過後に通話を強制的に終了させる構成のハンズフリーインターホンと、共同玄関に設置されたロビーインターホンとを組合わせて構成され、上記ハンズフリーインターホンは、通話開始後、予め設定された通話時間が経過するまでに、所定の時間が経過したときには点灯あるいは点滅駆動される通話時間切れ表示灯を有した通話時間切れ予告手段と、通話スイッチにより通話手段を通話回線に接続する一方、予め設定された通話時間が経過すると、通話手段と通話回線との接続を遮断させるハンズフリー通話制御回路と、タイマー手段と、上記ロビーインターホンからの音声信号レベルを判別する音声信号レベル判別回路と、上記ロビーインターホンの呼出に応答した後に、上記通話スイッチを操作したときには、上記ハンズフリー通話制御回路による通話手段と通話回線との遮断動作を禁止して、予め設定された時間だけ通話手段を通話回線に接続保持するとともに、上記ロビーインターホン音声信号レベル判別回路によって、音声信号が一定レベルを所定時間低下したと判別されたときには、上記通話手段と上記通話回線との接続を遮断する制御手段とを備えた構成としている。
【０００７】
また、請求項２において提案される本発明は、通話開始後、予め設定された通話時間経過後に通話を強制的に終了させる構成のハンズフリーインターホンと、共同玄関に設置されたロビーインターホンとを組合わせて構成され、上記ハンズフリーインターホンは、通話開始後、予め設定された通話時間が経過するまでに、所定の時間が経過したときには点灯あるいは点滅駆動される通話時間切れ表示灯を有した通話時間切れ予告手段と、通話スイッチにより通話手段を通話回線に接続する一方、予め設定された通話時間が経過すると、通話手段と通話回線との接続を遮断させるハンズフリー通話制御回路と、タイマー手段と、上記ロビーインターホンの呼出に応答した後に、上記通話スイッチを操作したときには、上記ハンズフリー通話制御回路による通話手段と通話回線との遮断動作を禁止して、予め設定された時間だけ通話手段を通話回線に接続保持する制御手段とを備えており、上記ロビーインターホンには、人体検知センサーと、上記ハンズフリーインターホン側とは異なる通話手段と、制御手段とを設けており、この制御手段は、上記人体検知センサーの出力が所定時間、検知オフの状態に保持されたときには、上記ロビーインターホン側の通話手段と上記通話回線との接続を遮断させる構成としている。
【０００８】
【作用】
請求項１、２によれば、ドアホンやロビーインターホンの呼出に応じて、通話スイッチを操作して通話を開始した後、予め設定された通話時間が経過するまでに、所定時間が経過すると、通話時間切れ表示灯が点灯あるいは点滅してその状態を通知する。
したがって、この状態を見て、通話延長スイッチを操作すれば、ハンズフリー通話制御回路がインターホンと通話回線との接続を遮断する動作が禁止され、ハンズフリー通話制御回路は、通話開始時の状態に戻って通話手段を通話回路に接続し、所定時間が経過するまで、その状態は保持される。以後、予め設定された通話時間が経過するまでは、インターホンの通話手段と通話回線とは接続保持され、通話時間が経過すれば、通話手段と通話回線との接続は遮断される。
特に、請求項１では、ロビーインターホンとの間で通話を行い、ロビーインターホン側で通話を終了させた場合には、インターホン側でも通話を同時的に終了させることが出来るので、通話終了後、ハンズフリーインターホンを無駄に通話状態に放置しておくことを防止できる。
【０００９】
また、請求項２では、ロビーインターホンとの間で通話を行い、ロビーインターホン側で通話を終了させた場合には、ロビーインターホン側で人体検知センサーの出力が所定時間、オフ検知となったのを判断して、ロビーインターホンと通話回線との接続を遮断するので、通話終了後、ロビーインターホンを無駄に通話状態に放置しておくことが防止できる。
【００１０】
【実施例】
以下に、添付図を参照して本発明の実施例を説明する。
図１は、本発明システムで用いられるハンズフリーインターホンの一例を示した外観図、図２はそのインターホンの内部回路の構成を示したブロック図である。
このハンズフリーインターホンＡは、図に見るように、持ち運び可能な本体の上部にスピーカＳＰ、下方にマイクＭＩＣと通話表示灯１ｃを有した通話スイッチＳＷを設けている。また、１ｂはＬＥＤなどで構成された通話時間切れ表示灯であり、この実施例では、通話延長スイッチは個別に設けずに、通話中に通話スイッチＳＷを操作することによって機能させるようにしている。なお、８は相手側の通話機器となるドアホンであり、呼出釦８ａを備えており、ハンズフリーインターホンＡに通話回線Ｌと通話線Ｓを介して接続されている。
【００１１】
通話スイッチＳＷは、ドアホン８などから呼出があった場合に操作すれば、マイクＭＩＣ、スピーカＳＰなどの通話手段を、通話回線Ｌに接続して通話を開始させるが、通話中に操作すれば、通話延長スイッチとして機能する。
すなわち、通話スイッチＳＷが通話中に操作されると、ハンズフリー通話制御回路２による通話遮断動作は禁止されて、予め設定された通話時間を経過するまでは通話手段と通話回線との接続は再び保持される。
【００１２】
図２はハンズフリーインターホンの内部回路の構成を示したブロック図である。
図において、ＳＷは通話延長スイッチの機能をなす通話スイッチであり、１は点灯駆動回路１ａで通話時間切れ表示灯１ｂを点灯あるいは点滅駆動するようにした通話時間切れ予告手段、２はハンズフリー通話制御回路、３はＣＰＵで構成された制御手段、４は双方向アンプ、５はインターホン、ドアホンからの音声信号をスピーカＳｐ、アンプＡＭＰに切り換える音声切換部、６はマイクＭｉｃより入力された音声信号を増幅するアンプ、７はスピーカＳｐに出力される音声信号を増幅するためのアンプを示している。
【００１３】
図３（ａ），（ｂ）は通話中における通話スイッチの操作によって、通話延長スイッチを実現し、また通話表示灯の点灯態様を変えることによって、通話表示灯を通話時間切れ表示灯として使用した場合の動作説明図を示している。
図を参照して説明すると、ドアホンなどの呼出があったときに、通話スイッチＳＷを操作すると、通話表示灯１ｃが点灯し、通話中であることを示す。
そして、このような通話中において、更に通話スイッチＳＷを操作すると、この通話スイッチは通話延長スイッチとして機能し、ハンズフリー通話制御回路２による通話手段Ｓｐ，Ｍｉｃと通話回線Ｌとの接続遮断動作を禁止する。
かくして、通話時間は延長されるが、設定された時間を経過すると、通話表示灯１ｃが点滅して、時間切れを予告する。
【００１４】
また、図２に示した例では、ハンズフリーインターホンＡには、通話時間切れ予告アラーム発生手段８を設けているので、通話時間切れになると、制御手段３は通話時間切れ予告手段１の作動によって、通話時間切れ表示灯１ｂを点滅させ、このときスピーカＳＰより通話時間切れを表す予告音を出力する構成となっている。
【００１５】
図４は本発明のハンズフリーインターホンシステムにおける要部となるハンズフリーインターホンの内部回路の構成をブロック図として示したものである。
基本的な構成は、図２に示した回路図を同じであるが、ドアホンに代えて、ロビーインターホンが接続されてシステムが構成されている。
このシステムの特徴は、ハンズフリーインターホンＡ側に、ロビーインターホン（不図示）から送出される音声信号のレベルを判別する音声信号レベル判別回路９を音声切替部５の出力側に設けている。
【００１６】
このような構成によれば、ハンズフリーインターホンＡとロビーインターホンとの通話が終了した場合には、音声信号レベル判別回路９では音声信号がなくなったことを検知するので、その状態が所定時間継続すると、スピーカＳｐ、マイクＭｉｃと通話回線Ｌとの接続が遮断され、これによってハンズフリーインターホンＡを迅速に待機状態に復帰させることができる。
【００１７】
図５は本発明のハンズフリーインターホンシステムの要部をなすロビーインターホンの内部回路をブロック図をもって示すものである。
ハンズフリーインターホンシステムは、前述した本発明のハンズフリーインターホンとロビーインターホンＢとを組み合わせて構成されている。
このシステムの特徴は、ロビーインターホンＢ側にあり、ロビーインターホンＢ側には、人体検知センサー１０を付設し、この人体検知センサー１０の出力が所定時間、検知オフの状態に保持されたときには、制御手段１１は通話状態にあるロビーインターホン側の通話手段と通話回線との接続を遮断させるようになっている。なお、１２はロビーインターホンの内部電源、１３は表示部、１４はキースキャン部、１５は制御信号伝送部、１６は通話制御を行う通話部であり、図では警報監視盤Ｃに接続した状態が示されている。
このような構成によれば、ロビーインターホンＢとの間で通話を行い、ロビーインターホンＢ側が通話を終了させた場合には、インターホンＡ側でも通話を同時的に終了させることが出来るので、通話終了後、インターホンＡを無駄に通話状態に放置しておくことが未然に防止できる。
【００１８】
【効果】
本発明のハンズフリーインターホンによれば、予め設定された通話時間が終了間近になれば、通話時間切れ表示灯が点灯あるいは点滅するので、このとき通話延長スイッチを操作すれば、通話を継続し行うことが出来る。
【００１９】
また、ロビーインターホンとの通話が終了すれば、ハンズフリーインターホン、ロビーインターホンをそれぞれ待機状態に迅速に復帰できる。
【図面の簡単な説明】
【図１】  本発明のハンズフリーインターホンの一実施例を示した外観構成図である。
【図２】  本発明のハンズフリーインターホンの内部回路の構成を示したブロック図である。
【図３】  通話延長スイッチと通話時間切れ予告灯の動作説明図である。
【図４】  本発明のハンズフリーシステムにおけるハンズフリーインターホンの内部回路の構成を示すブロック図である。
【図５】  本発明のハンズフリーインターホンシステムにおけるロビーインターホンの内部回路の構成を示すブロック図である。
【符号の説明】
Ａ  ハンズフリーインターホン
Ｂ  ロビーインターホン
Ｃ  警報監視盤
１  通話時間切れ予告手段
２  ハンズフリー通話制御回路
３  制御手段
４  双方向アンプ
８  通話時間切れ予告アラーム発生手段
９  音声信号レベル判別回路
１０人体検知センサー
ＳＷ  通話延長スイッチ
【図１】
0003701322.tif 000002
【図２】
0003701322.tif 000003
【図３】
0003701322.tif 000004
【図４】
0003701322.tif 000005
【図５】
0003701322.tif 000006